(57)【要約】      （修正有）【課題】飛沫拡散の防止効果が高く、低コストで、且つ環境問題にも適応した飛沫防止具および飛沫防止具用のフラップ部材を提供する。【解決手段】隣接する人同士を隔離する隔離パネルＰを備える飛沫防止具１Ａであって、隔離パネルは、透明なＰＥＴ樹脂で構成され、厚さは１．０ｍｍ以下に選定されるので、飛沫拡散の防止効果が高く、低コストで、且つ環境問題にも適応できる。また、隔離パネルは、平板状の後方壁面部２と、該後方壁面部の左右に起立する一対の側方壁面部３、４と、を備える。【選択図】図１
0003229208.tif 000002
【実用新案登録請求の範囲】
【請求項１】
隣接する人同士を隔離する隔離パネルを備える飛沫防止具であって、
前記隔離パネルは、透明なＰＥＴ樹脂で構成され、厚さは１．０ｍｍ以下に選定されることを特徴とする飛沫防止具。
【請求項２】
前記隔離パネルは、平板状の後方壁面部と、該後方壁面部の左右に起立する一対の側方壁面部と、を備えることを特徴とする請求項１に記載の飛沫防止具。
【請求項３】
前記隔離パネルは、上面側の一部を覆うフラップ部をさらに備えることを特徴とする請求項２に記載の飛沫防止具。
【請求項４】
前記フラップ部は、水平面に対して所定角度の仰角を有するように形成されていることを特徴とする請求項３に記載の飛沫防止具。
【請求項５】
前記フラップ部は、着脱構造を備えることを特徴とする請求項３または請求項４に記載の飛沫防止具。
【請求項６】
前記後方壁面部または前記側方壁面部の表面に、補強用の多数の凹凸部またはディンプルが形成されていることを特徴とする請求項２または請求項３に記載の飛沫防止具。
【請求項７】
前記後方壁面部または前記側方壁面部に照明装置を設けたことを特徴とする請求項２から請求項６の何れか１項に記載の飛沫防止具。
【請求項８】
前記後方壁面部または前記側方壁面部に写真、絵、文字、ロゴまたは所定のキャラクタを配置したことを特徴とする請求項２または請求項３に記載の飛沫防止具。
【請求項９】
前記後方壁面部または前記側方壁面部にディスプレイ装置を配置したことを特徴とする請求項２または請求項３に記載の飛沫防止具。
【請求項１０】
前記後方壁面部または前記側方壁面部に、水および浮遊物を収容した水槽を配置したことを特徴とする請求項２または請求項３に記載の飛沫防止具。
【請求項１１】
前記浮遊物は、気体、油滴、固体の粒子、或いはそれらの混合物を含むことを特徴とする請求項１０に記載の飛沫防止具。
【請求項１２】
意思を周囲に報知する報知装置をさらに備える請求項１から請求項１１の何れか１項に記載の飛沫防止具。
【請求項１３】
前記隔離パネルは、前面側に開放部を形成した湾曲状の壁面部を備えることを特徴とする請求項１に記載の飛沫防止具。
【請求項１４】
飛沫防止具に適用可能なフラップ部材であって、隔離パネルの上端側に対して着脱可能な着脱手段を備えることを特徴とする飛沫防止具用のフラップ部材。
【請求項１５】
前記着脱手段は、接着剤、粘着テープ、クリップ、面ファスナー、磁石を含むことを特徴とする請求項１４に記載の飛沫防止具用のフラップ部材。
【考案の詳細な説明】
【技術分野】
【０００１】
本考案は、隣接する人同士の間における飛沫の飛散を予防する飛沫防止具および飛沫防止具用のフラップ部材に関する。
【背景技術】
【０００２】
従来から水滴等の飛沫の拡散を防ぐ飛沫防止に関する技術が種々提案されている（例えば、特許文献１）。
【０００３】
ところで、昨今における人同士の間における各種ウィルス等の飛沫感染を防止する技術が注目されている。
【０００４】
従来における飛沫防止具としては、使用時の圧迫感を低減するため、或いは照明効果を維持するために無色透明なアクリル製、塩化ビニル製等の隔離パネル（パーティション）が使用されている。
【先行技術文献】
【特許文献】
【０００５】
【特許文献１】実開平２−１０２１０２号公報
【考案の概要】
【考案が解決しようとする課題】
【０００６】
ところで、上述のような飛沫防止具は、各種ウィルス等の感染収束後に廃棄される可能性が高いが、隔離パネル等を構成するプラスチック製品は焼却によってＣＯ２ や有毒なガスを発生するという環境問題上の不都合があった。
【０００７】
また、隔離パネル等がアクリル製および塩化ビニル製の場合には、リサイクルが困難であるという問題もあった。
【０００８】
さらに、隔離パネル等を３ｍｍ〜５ｍｍ程度のプラスチック製の厚板で構成する場合には、薄板を使用する場合に比べ原材料であるプラスチックの使用量も多量になり飛沫防止具の製造コストが嵩んでしまう。
【０００９】
そのため、各種教育機関等の多人数に飛沫防止具を使用する必要のある業態においては、全生徒、全学生への導入が困難であるという問題もある。
【００１０】
本考案は、上記課題に鑑みてなされたものであり、飛沫拡散の防止効果が高く、低コストで、且つ環境問題にも適応した飛沫防止具および飛沫防止具用のフラップ部材を提供することを目的とする。
【課題を解決するための手段】
【００１１】
上記目的を達成するため、本考案に係る飛沫防止具は、隣接する人同士を隔離する隔離パネルを備える飛沫防止具であって、前記隔離パネルは、透明なＰＥＴ樹脂で構成され、厚さは１．０ｍｍ以下に選定されることを要旨とする。
【００１２】
前記隔離パネルは、平板状の後方壁面部と、該後方壁面部の左右に起立する一対の側方壁面部と、を備えることが好ましい。
【００１３】
前記隔離パネルは、上面側の一部を覆うフラップ部をさらに備えることが好ましい。
【００１４】
前記フラップ部は、水平面に対して所定角度の仰角を有するように形成されていることが好ましい。
【００１５】
前記フラップ部は、着脱構造を備えることが好ましい。
【００１６】
前記後方壁面部または前記側方壁面部の表面に、補強用の多数の凹凸部またはディンプルが形成されていることが好ましい。
【００１７】
前記後方壁面部または前記側方壁面部に照明装置を設けることが好ましい。
【００１８】
前記後方壁面部または前記側方壁面部に写真、絵、文字、ロゴまたは所定のキャラクタを配置することが好ましい。
【００１９】
前記後方壁面部または前記側方壁面部にディスプレイ装置を配置することが好ましい。
【００２０】
前記後方壁面部または前記側方壁面部に、水および浮遊物を収容した水槽を配置することが好ましい。
【００２１】
前記浮遊物は、気体、油滴、固体の粒子、或いはそれらの混合物を含むことが好ましい。
【００２２】
意思を周囲に報知する報知装置をさらに備えることが好ましい。
【００２３】
前記隔離パネルは、前面側に開放部を形成した湾曲状の壁面部を備えることが好ましい。
【００２４】
他の考案に係る飛沫防止具用のフラップ部材は、飛沫防止具に適用可能なフラップ部材であって、隔離パネルの上端側に対して着脱可能な着脱手段を備えることを要旨とする。
【００２５】
前記着脱手段は、接着剤、粘着テープ、クリップ、面ファスナー、磁石を含むことが好ましい。
【考案の効果】
【００２６】
本考案によれば、飛沫拡散の防止効果が高く、低コストで、且つ環境問題にも適応した飛沫防止具をおよび飛沫防止具用のフラップ部材提供することができる。
【図面の簡単な説明】
【００２７】
【図１】実施の形態に係る飛沫防止具の第１実施例を示す斜視図である。
【図２】実施の形態に係る飛沫防止具の第１実施例を示す展開図である。
【図３】フラップ部を有さない比較例に係る飛沫防止具の側方端面図（ａ）、実施の形態に係る飛沫防止具の第１実施例の側方端面図（ｂ）、（ｃ）である。
【図４】実施の形態に係る飛沫防止具の第２実施例を示す斜視図である。
【図５】実施の形態に係る飛沫防止具の第３実施例を示す斜視図である。
【図６】実施の形態に係る飛沫防止具の第４実施例を示す斜視図である。
【図７】実施の形態に係る飛沫防止具の第５実施例を示す斜視図である。
【図８】実施の形態に係る飛沫防止具の第６実施例を示す斜視図である。
【図９】実施の形態に係る飛沫防止具の第７実施例を示す斜視図である。
【図１０】実施の形態に係る飛沫防止具の第８実施例を示す斜視図である。
【図１１】実施の形態に係る飛沫防止具の第９実施例を示す斜視図である。
【図１２】実施の形態に係る飛沫防止具の第１０実施例を示す斜視図である。
【図１３】実施の形態に係る飛沫防止具の第１１実施例を示す斜視図である。
【図１４】実施の形態に係る飛沫防止具の第１２実施例を示す斜視図である。
【図１５】実施の形態に係る飛沫防止具の第１３実施例を示す斜視図である。
【図１６】実施の形態に係る飛沫防止具の第１４実施例を示す斜視図である。
【図１７】実施の形態に係る飛沫防止具の第１５実施例を示す斜視図である。
【図１８】実施の形態に係る飛沫防止具の第１６実施例を示す斜視図である。
【図１９】実施の形態に係る飛沫防止具の第１７実施例を示す斜視図である。
【図２０】実施の形態に係る飛沫防止具の第１８実施例を示す斜視図である。
【図２１】実施の形態に係る飛沫防止具の第１９実施例を示す斜視図である。
【図２２】実施の形態に係る飛沫防止具の第２０実施例を示す斜視図である。
【図２３】実施の形態に係る飛沫防止具の第２０実施例を示す部品図（ａ）〜（ｃ）である。
【図２４】実施の形態に係る飛沫防止具の第２０実施例の変形例を示す斜視図である。
【考案を実施するための形態】
【００２８】
［実施の形態］
図１〜図２４を参照して、実施の形態に係る第１実施例から第２０実施例に係る飛沫防止具１Ａ〜１Ｔａについて説明する。
【００２９】
（第１実施例）
図１から図３を参照して、第１実施例に係る飛沫防止具１Ａについて説明する。
【００３０】
ここで、図１は、第１実施例に係る飛沫防止具１Ａを示す斜視図、図２は、その展開図、図３（ａ）は、フラップ部を有さない比較例に係る飛沫防止具の側方端面図、図３（ｂ）、（ｃ）は、第１実施例に係る飛沫防止具１Ａの側方端面図である。
【００３１】
第１実施例に係る飛沫防止具１Ａは、店舗のテーブルや各種教育機関の机等の上に載置されて、隣接する人同士を隔離する隔離パネルＰを備える飛沫防止用の器具である。
【００３２】
飛沫防止具１Ａにおいて、隔離パネルＰは、平板状の後方壁面部２と、後方壁面部２の左右に起立する一対の側方壁面部３、４とを備えている。
【００３３】
また、飛沫防止具１Ａは、上面側の一部を覆うフラップ部（またはフラップ部材）５をさらに備えている。
【００３４】
ここで、隔離パネルＰを構成する後方壁面部２、側方壁面部３、４およびフラップ部５は、厚さ１．０ｍｍ以下の透明なＰＥＴ樹脂（ポリエチレンテレフタレート）で構成されている。
【００３５】
より具体的には、例えば厚さ０．５ｍｍのポリエチレンテレフタレート（ＰＥＴ樹脂）板を裁断加工して、図２の展開図に示すような板状体Ｐ１を作成する。
【００３６】
ここで、板状体Ｐ１のサイズは、特には限定されないが、例えばＷ１（組立後の高さに相当）の寸法を４９０ｍｍ、Ｗ２（組立後の幅に相当）の寸法を５００ｍｍとすることができる。
【００３７】
板状体Ｐ１において、符号Ｃ１〜Ｃ４に示す位置には切込みが形成されている。
【００３８】
また、符号Ｌ１〜Ｌ１１に示す位置に、折り線（折り目）が形成されている。
【００３９】
ここで、板状体Ｐ１によって飛沫防止具１Ａを組み立てる手順を簡単に説明する。
【００４０】
まず、折り線Ｌ３〜Ｌ９、Ｌ１１に沿って補強部（折返し部：幅は例えば３０ｍｍ程度とされる）２ａ、３ａ〜３ｃ、４ａ〜４ｃ、５ａを順次、内側（図２の表面側）に折り込んでいく。なお、折り込み加工を行う場合には、加熱しながら行うとよい。
【００４１】
次いで、側方壁面部３、４を折り線Ｌ１、Ｌ２に沿って内側（図２の表面側）に折り込んで、起立させる。
【００４２】
最後に、作成中の飛沫防止具１Ａをテーブル等に載置した状態で、フラップ部（例えば、幅５０ｍｍ程度）５が、水平面に対して所定角度θ（例えば、４５度）の仰角を有するように、折り線Ｌ１１に沿って折ることで、飛沫防止具１Ａの組み立てが完了する。
【００４３】
ここで、図３を参照して、フラップ部（またはフラップ部材）５の整流効果について説明する。
【００４４】
まず、図３（ａ）に示すフラップ部を有さない比較例に係る飛沫防止具では、人（図示せず）の息（飛沫を含む）は、Ｄ１〜Ｄ３方向に進み、後方壁面部２をＤ４方向に越えて拡散してしまう。
【００４５】
これに対して、第１実施例に係る飛沫防止具１Ａでは、人（図示せず）の息（飛沫を含む）は、Ｄ１〜Ｄ３方向に進んだ後、フラップ部（またはフラップ部材）５によってＤ５方向またはＤ６方向に変化されるので、後方壁面部２を越えることが抑制される。
【００４６】
このように、フラップ部（またはフラップ部材）５による空気の整流効果により、人からの飛沫の拡散を防止することができる。
【００４７】
なお、後方壁面部２および側方壁面部３、４が十分に高い場合には、フラップ部（またはフラップ部材）５を省略しても飛沫の拡散を防止することができる。
【００４８】
このように、第１実施例に係る飛沫防止具１Ａは、厚さ１．０ｍｍ以下の薄いＰＥＴ樹脂（ポリエチレンテレフタレート）製のパネルを用いるため低コストで作成することができる。
【００４９】
また、第１実施例に係る飛沫防止具１Ａは、リサイクルに適したＰＥＴ樹脂を使用しているので、焼却する場合にも有毒ガスを出さないなど環境問題にも適応することができる。
【００５０】
また、第１実施例に係る飛沫防止具１Ａは、厚さ１．０ｍｍ以下の薄いＰＥＴ樹脂（ポリエチレンテレフタレート）製のパネルで構成されているため、テーブル等で隣接して用いる場合にも人と人との間の音声が伝達され易いという特性を有する。そのため、第１実施例に係る飛沫防止具１Ａによれば、飛沫の拡散を防止しつつ、会話によるコミュニケーションを取り易いという効果を奏することができる。
【００５１】
なお、後方壁面部２および側方壁面部３、４を彩色したり、絵やイラストを描いて、リラックス効果等を得ることができるようにしてもよい。さらに、後方壁面部２および側方壁面部３、４に凹凸を設けるなどすれば、飛沫防止具１Ａの強度を増すことができる。
【００５２】
（第２実施例）
図４を参照して、第２実施例に係る飛沫防止具１Ｂについて説明する。
【００５３】
第２実施例に係る飛沫防止具１Ｂにおいて、隔離パネルＰは、前面側に開放部を形成した湾曲状の壁面部１０を備える。
【００５４】
また、飛沫防止具１Ｂは、上面側を覆うフラップ部１１を備えている。
【００５５】
なお、壁面部１０およびフラップ部１１は、厚さ１．０ｍｍ以下の透明なＰＥＴ樹脂（ポリエチレンテレフタレート）で構成されている。
【００５６】
壁面部１０とフラップ部１１は、接着あるいは熱溶着等によって固定することができる。
【００５７】
第２実施例に係る飛沫防止具１Ｂによれば、第１実施例に係る飛沫防止具１Ａと同等の効果を得ることができる。
【００５８】
（第３実施例）
図５を参照して、第３実施例に係る飛沫防止具１Ｃについて説明する。
【００５９】
なお、第１実施例に係る飛沫防止具１Ａと同様の構成については、同一符号を付して重複した説明は割愛する。
【００６０】
第３実施例に係る飛沫防止具１Ｃでは、後方壁面部２および側方壁面部３、４の表面に、凹凸部（ドット状の凸部またはディンプル状の凹部）１５を多数形成している。
【００６１】
これにより、後方壁面部２および側方壁面部３、４の強度を向上することができる。
【００６２】
また、凹凸部１５により後方壁面部２および側方壁面部３、４が曇ガラス状となるので、テーブル等に隣接して設置される場合に、隣から覗かれ難くすることができ、プライベート性を高めることができる。
【００６３】
なお、第１実施例に係る飛沫防止具１Ａと同様の基本構成により、第１実施例に係る飛沫防止具１Ａと同等の効果も得ることができる。
【００６４】
（第４実施例）
図６を参照して、第４実施例に係る飛沫防止具１Ｄについて説明する。
【００６５】
なお、第１実施例に係る飛沫防止具１Ａと同様の構成については、同一符号を付して重複した説明は割愛する。
【００６６】
第４実施例に係る飛沫防止具１Ｄでは、後方壁面部２および側方壁面部３、４の表面に、比較的大面積の方形状の凹凸部（ドット状の凸部またはディンプル状の凹部）１６を形成している。
【００６７】
これにより、後方壁面部２および側方壁面部３、４の強度を向上することができる。
【００６８】
また、方形状の凹凸部１６により美観を高め、デザイン性を向上することもできる。
【００６９】
なお、第１実施例に係る飛沫防止具１Ａと同様の基本構成により、第１実施例に係る飛沫防止具１Ａと同等の効果も得ることができる。
【００７０】
（第５実施例）
図７を参照して、第５実施例に係る飛沫防止具１Ｅについて説明する。
【００７１】
なお、第１実施例に係る飛沫防止具１Ａと同様の構成については、同一符号を付して重複した説明は割愛する。
【００７２】
第５実施例に係る飛沫防止具１Ｅでは、後方壁面部２の表面に、比較的大面積の円形状の凹凸部（ドット状の凸部またはディンプル状の凹部）１６Ａを形成している。
【００７３】
これにより、後方壁面部２の強度を向上することができる。
【００７４】
また、円形状の凹凸部１６により美観を高め、デザイン性を向上することもできる。
【００７５】
なお、側方壁面部３、４に同様の凹凸部１６Ａを設けてもよい。
【００７６】
また、第１実施例に係る飛沫防止具１Ａと同様の基本構成により、第１実施例に係る飛沫防止具１Ａと同等の効果も得ることができる。
【００７７】
（第６実施例）
図８を参照して、第６実施例に係る飛沫防止具１Ｆについて説明する。
【００７８】
なお、第１実施例に係る飛沫防止具１Ａと同様の構成については、同一符号を付して重複した説明は割愛する。
【００７９】
第６実施例に係る飛沫防止具１Ｆでは、後方壁面部２に木製等の障子枠１７を配置している。
【００８０】
なお、障子枠１７内に各種模様の和紙等を配置するようにしてもよい。
【００８１】
これにより、和風の飛沫防止具１Ｆとすることができ、美観を高め、デザイン性を向上することができる。
【００８２】
なお、側方壁面部３、４に同様の障子枠１７を設けてもよい。
【００８３】
また、第１実施例に係る飛沫防止具１Ａと同様の基本構成により、第１実施例に係る飛沫防止具１Ａと同等の効果も得ることができる。
【００８４】
（第７実施例）
図９を参照して、第７実施例に係る飛沫防止具１Ｇについて説明する。
【００８５】
なお、第１実施例に係る飛沫防止具１Ａと同様の構成については、同一符号を付して重複した説明は割愛する。
【００８６】
第７実施例に係る飛沫防止具１Ｇでは、後方壁面部２の縁部を囲うように、複数のＬＥＤライト１８を配置している。
【００８７】
これにより、飛沫防止具１Ｇをテーブル等に載置した場合に、テーブル上の手元等を照らすことができる。
【００８８】
また、各ＬＥＤライト１８を所定のパターンで点滅させることにより、装飾効果を高めることができる。
【００８９】
なお、側方壁面部３、４に同様のＬＥＤライト１８を設けてもよい。
【００９０】
また、第１実施例に係る飛沫防止具１Ａと同様の基本構成により、第１実施例に係る飛沫防止具１Ａと同等の効果も得ることができる。
【００９１】
（第８実施例）
図１０を参照して、第８実施例に係る飛沫防止具１Ｈについて説明する。
【００９２】
なお、第１実施例に係る飛沫防止具１Ａと同様の構成については、同一符号を付して重複した説明は割愛する。
【００９３】
第８実施例に係る飛沫防止具１Ｈでは、後方壁面部２の表面に所望の写真、絵１９等を配置している。
【００９４】
これにより、装飾性を高めることができる。
【００９５】
なお、側方壁面部３、４にも所望の写真、絵１９等を配置するようにしてもよい。
【００９６】
また、第１実施例に係る飛沫防止具１Ａと同様の基本構成により、第１実施例に係る飛沫防止具１Ａと同等の効果も得ることができる。
【００９７】
（第９実施例）
図１１を参照して、第９実施例に係る飛沫防止具１Ｉについて説明する。
【００９８】
なお、第１実施例に係る飛沫防止具１Ａと同様の構成については、同一符号を付して重複した説明は割愛する。
【００９９】
第９実施例に係る飛沫防止具１Ｉでは、後方壁面部２に液晶表示パネル等で構成されるディスプレイ装置２０を配置している。
【０１００】
そして、このディスプレイ装置２０に、図１１に示すように提供料理のメニュー、価格表等を表示するようにできる。
【０１０１】
また、ディスプレイ装置２０にテレビ画像やビデオ画像などを表示するようにしてもよい。
【０１０２】
これにより、飛沫防止具１Ｉの使用者に種々の情報を提供したり、装飾性を高めることができる。
【０１０３】
なお、側方壁面部３、４にもディスプレイ装置２０を配置するようにしてもよい。
【０１０４】
また、第１実施例に係る飛沫防止具１Ａと同様の基本構成により、第１実施例に係る飛沫防止具１Ａと同等の効果も得ることができる。
【０１０５】
（第１０実施例）
図１２を参照して、第１０実施例に係る飛沫防止具１Ｊについて説明する。
【０１０６】
なお、第１実施例に係る飛沫防止具１Ａと同様の構成については、同一符号を付して重複した説明は割愛する。
【０１０７】
第１０実施例に係る飛沫防止具１Ｊでは、フラップ部（またはフラップ部材）５が後方壁面部２に着脱可能に設けられている。
【０１０８】
なお、着脱手段としては、接着剤、粘着テープ、クリップ、面ファスナーや磁石等を用いることができる。
【０１０９】
これにより、飛沫防止具１Ｊの設置場所や用途に応じて、フラップ部（またはフラップ部材）５を装着した状態と、装着しない状態とを選択することができ、利便性が向上する。
【０１１０】
また、第１実施例に係る飛沫防止具１Ａと同様の基本構成により、第１実施例に係る飛沫防止具１Ａと同等の効果も得ることができる。
【０１１１】
また、接着剤、粘着テープ、クリップ、面ファスナーや磁石等を用いて、従来の衝立にフラップ部（またはフラップ部材）５を装着することにより第１実施例に係る飛沫防止具１Ａと同等の飛沫防止効果を得ることができる。
【０１１２】
（第１１実施例）
図１３を参照して、第１１実施例に係る飛沫防止具１Ｋについて説明する。
【０１１３】
なお、第１実施例に係る飛沫防止具１Ａと同様の構成については、同一符号を付して重複した説明は割愛する。
【０１１４】
第１１実施例に係る飛沫防止具１Ｋでは、後方壁面部２の表面に所望の文字、ロゴ２１或いは所定のキャラクタ等を配置している。
【０１１５】
これにより、装飾性や宣伝効果を高めることができる。
【０１１６】
なお、側方壁面部３、４にも所望の文字やロゴ２１或いは所定のキャラクタ等を配置するようにしてもよい。
【０１１７】
また、第１実施例に係る飛沫防止具１Ａと同様の基本構成により、第１実施例に係る飛沫防止具１Ａと同等の効果も得ることができる。
【０１１８】
（第１２実施例）
図１４を参照して、第１２実施例に係る飛沫防止具１Ｌについて説明する。
【０１１９】
なお、第１実施例に係る飛沫防止具１Ａと同様の構成については、同一符号を付して重複した説明は割愛する。
【０１２０】
第１２実施例に係る飛沫防止具１Ｌでは、後方壁面部２の上端部２Ａに、例えば赤色、緑色、青色のＬＥＤを備えた表示装置２２を配置している。
【０１２１】
なお、図示は省略するが、表示装置２２の各色のＬＥＤを個別にオン・オフするスイッチが設けられている。
【０１２２】
これにより、飛沫防止具１Ｌを用いる者の意思を周囲に報知（例えば、飲食店のウェイトレス等を呼ぶ、店側からの質問に回答するなど）することができ、話さずに意思を伝達できるので、飛沫の拡散を一層抑制することができる。
【０１２３】
なお、側方壁面部３、４に表示装置２２を配置するようにしてもよい。
【０１２４】
また、第１実施例に係る飛沫防止具１Ａと同様の基本構成により、第１実施例に係る飛沫防止具１Ａと同等の効果も得ることができる。
【０１２５】
（第１３実施例）
図１５を参照して、第１３実施例に係る飛沫防止具１Ｍについて説明する。
【０１２６】
なお、第１実施例に係る飛沫防止具１Ａと同様の構成については、同一符号を付して重複した説明は割愛する。
【０１２７】
第１３実施例に係る飛沫防止具１Ｍでは、フラップ部５の端部５Ａに、例えば赤色、緑色、青色のＬＥＤを備えた表示装置２２を配置している。
【０１２８】
なお、図示は省略するが、表示装置２２の各色のＬＥＤを個別にオン・オフするスイッチが設けられている。
【０１２９】
これにより、飛沫防止具１Ｍを用いる者の意思を周囲に報知（例えば、飲食店でウェイトレス等を呼ぶ、教師等からの質問に回答するなど）することができ、話さずに意思を伝達できるので、飛沫の拡散を一層抑制することができる。
【０１３０】
なお、第１実施例に係る飛沫防止具１Ａと同様の基本構成により、第１実施例に係る飛沫防止具１Ａと同等の効果も得ることができる。
【０１３１】
（第１４実施例）
図１６を参照して、第１４実施例に係る飛沫防止具１Ｎについて説明する。
【０１３２】
なお、第１実施例に係る飛沫防止具１Ａと同様の構成については、同一符号を付して重複した説明は割愛する。
【０１３３】
第１４実施例に係る飛沫防止具１Ｎでは、後方壁面部２の上端部２Ａに、例えば○、△、×の印を示す表示装置２３を配置している。
【０１３４】
なお、図示は省略するが、表示装置２２の各印を個別にオン・オフするスイッチが設けられている。
【０１３５】
これにより、飛沫防止具１Ｎを用いる者の意思を周囲に報知（例えば、教師から出題された問題等に回答するなど）することができ、話さずに意思を伝達できるので、飛沫の拡散を一層抑制することができる。
【０１３６】
なお、側方壁面部３、４に表示装置２３を配置するようにしてもよい。
【０１３７】
また、第１実施例に係る飛沫防止具１Ａと同様の基本構成により、第１実施例に係る飛沫防止具１Ａと同等の効果も得ることができる。
【０１３８】
（第１５実施例）
図１７を参照して、第１５実施例に係る飛沫防止具１Ｏについて説明する。
【０１３９】
なお、第１実施例に係る飛沫防止具１Ａと同様の構成については、同一符号を付して重複した説明は割愛する。
【０１４０】
第１５実施例に係る飛沫防止具１Ｏでは、フラップ部５の端部５Ａに、例えば○、△、×の印を示す表示装置２３を配置している。
【０１４１】
なお、図示は省略するが、表示装置２２の各印を個別にオン・オフするスイッチが設けられている。
【０１４２】
これにより、飛沫防止具１Ｏを用いる者の意思を周囲に報知（例えば、教師から出題された問題等に回答するなど）することができ、話さずに意思を伝達できるので、飛沫の拡散を一層抑制することができる。
【０１４３】
なお、第１実施例に係る飛沫防止具１Ａと同様の基本構成により、第１実施例に係る飛沫防止具１Ａと同等の効果も得ることができる。
【０１４４】
（第１６実施例）
図１８を参照して、第１６実施例に係る飛沫防止具１Ｐについて説明する。
【０１４５】
なお、第１実施例に係る飛沫防止具１Ａと同様の構成については、同一符号を付して重複した説明は割愛する。
【０１４６】
第１６実施例に係る飛沫防止具１Ｐでは、後方壁面部２に、気体、油滴、固体の粒子、或いはそれらの混合物からなる複数の浮遊物２５を収容した水槽２４を配置している。
【０１４７】
これにより、装飾効果や清涼感を高めることができる。
【０１４８】
なお、第１実施例に係る飛沫防止具１Ａと同様の基本構成により、第１実施例に係る飛沫防止具１Ａと同等の効果も得ることができる。
【０１４９】
（第１７実施例）
図１９を参照して、第１７実施例に係る飛沫防止具１Ｑについて説明する。
【０１５０】
なお、第１実施例に係る飛沫防止具１Ａと同様の構成については、同一符号を付して重複した説明は割愛する。
【０１５１】
第１７実施例に係る飛沫防止具１Ｑでは、側方壁面部３、４に木目模様を付すると共に、上方側に屋根型のフラップ部５Ｂを設けている。
【０１５２】
これにより、飛沫防止具１Ｑを古民家等の建物風とすることができ、使用者の興趣を高めることができる。
【０１５３】
なお、フラップ部５Ｂの形状や側方壁面部３、４に描く外観を適宜変更することにより、神社仏閣、洋館、城郭、現代建築、スタジアムなど種々の建物風とすることもできる。
【０１５４】
また、建物以外のクルマ、飛行機などに似せた外観を呈するようにしてもよい。
【０１５５】
なお、第１実施例に係る飛沫防止具１Ａと同様の基本構成により、第１実施例に係る飛沫防止具１Ａと同等の効果も得ることができる。
【０１５６】
（第１８実施例）
図２０を参照して、第１８実施例に係る飛沫防止具１Ｒについて説明する。
【０１５７】
なお、第１実施例に係る飛沫防止具１Ａと同様の構成については、同一符号を付して重複した説明は割愛する。
【０１５８】
第１８実施例に係る飛沫防止具１Ｒでは、側方壁面部３、４の間に屏風風の折畳み部１２０を設けている。
【０１５９】
これにより、飛沫防止具１Ｒを収納する際や輸送する際には、屏風のように折り畳んで省スペース化でき、利便性を高めることができる。
【０１６０】
また、側方壁面部３、４および折畳み部１２０に適当な彩色、模様を施したり、絵等を描くことにより、和風を演出することができる。
【０１６１】
なお、第１実施例に係る飛沫防止具１Ａと同様の基本構成により、第１実施例に係る飛沫防止具１Ａと同等の効果も得ることができる。
【０１６２】
（第１９実施例）
図２１を参照して、第１９実施例に係る飛沫防止具１Ｓについて説明する。
【０１６３】
なお、第１実施例に係る飛沫防止具１Ａと同様の構成については、同一符号を付して重複した説明は割愛する。
【０１６４】
第１９実施例に係る飛沫防止具１Ｓでは、側面から見た形状がＶ字を呈するフラップ部（またはフラップ部材）５Ｃが後方壁面部２の端部に設けられている。
【０１６５】
これにより、装飾効果や拡散防止効果を高めることができる。
【０１６６】
なお、第１実施例に係る飛沫防止具１Ａと同様の基本構成により、第１実施例に係る飛沫防止具１Ａと同等の効果も得ることができる。
【０１６７】
また、従来の衝立にフラップ部（またはフラップ部材）５Ｃを装着することにより第１実施例に係る飛沫防止具１Ｓと同等の飛沫防止効果を得ることができる。
【０１６８】
（第２０実施例）
図２２から図２４を参照して、第２０実施例に係る飛沫防止具１Ｔ、１Ｔａについて説明する。
【０１６９】
なお、第１実施例に係る飛沫防止具１Ａと同様の構成については、同一符号を付して重複した説明は割愛する。
【０１７０】
第２０実施例に係る飛沫防止具１Ｔは、図２３（ａ）〜（ｃ）に示すように、後方壁面部材２０２Ａ（２０２Ｂ）と、一対の側方壁面部材２０３、２０４とから構成される。
【０１７１】
後方壁面部材２０２Ａ（２０２Ｂ）は、図２３（ｂ）に示すように、上下端部に折返し部２０２ａ、２０２ｂが形成されている。
【０１７２】
また、後方壁面部材２０２Ａ（２０２Ｂ）の左右端部には、各３箇所の差込部２０２ｅ、２０２ｄが突設されている。
【０１７３】
図２３（ａ）に示すように、左側の側方壁面部材２０３は、上下左右の端部に折返し部２０３ａ〜２０３ｄが形成されている。
【０１７４】
また、側方壁面部材２０３には、上述の差込部２０２ｅを差し込み可能な切込み部２１０ａ〜２１０ｄが穿設されている。
【０１７５】
なお、切込み部２１０ａ、２１０ｂは、組立時に上端側の差込部２０２ｅの差し込み位置を選択することにより、後方壁面部材２０２Ａ（２０２Ｂ）を垂直状態と、前方へ傾斜した状態とに変更できるように構成されている（組み立てた状態については後述する）。
【０１７６】
また、図２３（ｃ）に示すように、右側の側方壁面部材２０４は、上下左右の端部に折返し部２０４ａ〜２０４ｄが形成されている。
【０１７７】
また、側方壁面部材２０４には、上述の差込部２０２ｄを差し込み可能な切込み部２２０ａ〜２２０ｄが穿設されている。
【０１７８】
なお、切込み部２２０ａ、２２０ｂは、組立時に上端側の差込部２０２ｄの差し込み位置を選択することにより、後方壁面部材２０２Ａ（２０２Ｂ）を垂直状態と、前方へ傾斜した状態とに変更できるように構成されている（組み立てた状態については後述する）。
【０１７９】
そして、図２２に示す飛沫防止具１Ｔは、組立時に後方壁面部材２０２Ａの上端側の差込部２０２ｅの差し込み位置として左側の側方壁面部材２０３の切込み部２１０ｂを選択し、後方壁面部材２０２Ａの上端側の差込部２０２ｄの差し込み位置として右側の側方壁面部材２０４の切込み部２２０ｂを選択した場合を示す。
【０１８０】
この飛沫防止具１Ｔでは、後方壁面部材２０２Ａは、垂直に起立した状態となる。
【０１８１】
一方、図２４に示す飛沫防止具１Ｔａは、組立時に後方壁面部材２０２Ａの上端側の差込部２０２ｅの差し込み位置として左側の側方壁面部材２０３の切込み部２１０ａを選択し、後方壁面部材２０２Ａの上端側の差込部２０２ｄの差し込み位置として右側の側方壁面部材２０４の切込み部２２０ａを選択した場合を示す。
【０１８２】
この飛沫防止具１Ｔａでは、後方壁面部材２０２Ａは、上端側が前方に傾斜した状態で保持され、他の実施例におけるフラップ部５と同様の効果を奏する。
【０１８３】
なお、第１実施例に係る飛沫防止具１Ａと同様の基本構成により、第１実施例に係る飛沫防止具１Ａなどと同等の効果も得ることができる。
【０１８４】
また、後方壁面部材２０２Ａおよび側方壁面部材２０３および２０４を彩色したり、絵やイラストを描いて、リラックス効果等を得ることができるようにしてもよい。
【０１８５】
さらに、後方壁面部材２０２Ａおよび側方壁面部材２０３および２０４に凹凸を設けるなどすれば、飛沫防止具１Ｔａの強度を増すことができる。
【０１８６】
以上、本考案の飛沫防止具を図示の実施形態に基づいて説明したが、本考案はこれに限定されるものではなく、各部の構成は、同様の機能を有する任意の構成のものに置き換えることができる。
【符号の説明】
【０１８７】
１Ａ〜１Ｔａ  飛沫防止具
２  後方壁面部（後方壁面部材）
３、４  側方壁面部（側方壁面部材）
５  フラップ部（フラップ部材）
Ｐ  隔離パネル
【図１】
0003229208.tif 000003
【図２】
0003229208.tif 000004
【図３】
0003229208.tif 000005
【図４】
0003229208.tif 000006
【図５】
0003229208.tif 000007
【図６】
0003229208.tif 000008
【図７】
0003229208.tif 000009
【図８】
0003229208.tif 000010
【図９】
0003229208.tif 000011
【図１０】
0003229208.tif 000012
【図１１】
0003229208.tif 000013
【図１２】
0003229208.tif 000014
【図１３】
0003229208.tif 000015
【図１４】
0003229208.tif 000016
【図１５】
0003229208.tif 000017
【図１６】
0003229208.tif 000018
【図１７】
0003229208.tif 000019
【図１８】
0003229208.tif 000020
【図１９】
0003229208.tif 000021
【図２０】
0003229208.tif 000022
【図２１】
0003229208.tif 000023
【図２２】
0003229208.tif 000024
【図２３】
0003229208.tif 000025
【図２４】
0003229208.tif 000026